(57)【特許請求の範囲】
【請求項１】
懸賞用問題を作成する問題作成装置であって、
懸賞を提供する企業に専用の専用問題を記憶する第１記憶部に記憶されている１以上の前記専用問題を抽出する第１抽出部と、
前記専用問題とは異なる問題を記憶する第２記憶部に記憶されている１以上の前記専用問題とは異なる問題を抽出する第２抽出部と、
抽出した１以上の前記専用問題と、抽出した１以上の前記専用問題とは異なる問題とを含む懸賞用問題を作成する作成部と、
を備える問題作成装置。
【請求項２】
前記企業の情報を含むページのアドレスを受け付けると、当該アドレスに基づいて当該ページにアクセスし、当該ページに含まれている前記企業の情報に基づいて前記専用問題を生成する生成部と、
生成された前記専用問題を前記第１記憶部に登録する登録部とをさらに備える、
請求項１に記載の問題作成装置。
【請求項３】
通信ネットワークを介して接続される外部装置が提供する情報に基づいて前記専用問題とは異なる問題を生成する生成部と、
生成された前記専用問題とは異なる問題を前記第２記憶部に登録する登録部とをさらに備える、
請求項１又は２に記載の問題作成装置。
【請求項４】
前記作成部は、前記懸賞用問題として、１以上の前記専用問題及び１以上の前記専用問題とは異なる問題の集合体としてのパズル又はゲームを生成する、
請求項１から３のいずれか１項に記載の問題作成装置。
【請求項５】
懸賞用問題を作成する問題作成方法であって、
懸賞を提供する企業に専用の専用問題を記憶する第１記憶部に記憶されている１以上の前記専用問題を抽出するステップと、
前記専用問題とは異なる問題を記憶する第２記憶部に記憶されている１以上の前記専用問題とは異なる問題を抽出するステップと、
抽出した前記専用問題及び前記専用問題とは異なる問題を含む懸賞用問題を作成するステップと、
を備える問題作成方法。
【請求項６】
懸賞用問題を作成する問題作成装置と端末とを備える懸賞管理システムであって、
前記問題作成装置は、
懸賞を提供する企業に専用の専用問題を記憶する第１記憶部に記憶されている１以上の前記専用問題を抽出する第１抽出部と、
前記専用問題とは異なる問題を記憶する第２記憶部に記憶されている１以上の前記専用問題とは異なる問題を抽出する第２抽出部と、
抽出した１以上の前記専用問題と、抽出した１以上の前記専用問題とは異なる問題とを含む懸賞用問題を作成する作成部と、
前記端末から前記企業の選択を受け付けたことに応じて、当該企業に対応する懸賞用問題を当該端末に送信する送信部とを有し、
前記端末は、
前記企業の選択を行う選択部と、
前記問題作成装置から前記懸賞用問題を受信する受信部とを有する、
懸賞管理システム。
【発明の詳細な説明】
【技術分野】
【０００１】
本発明は、問題作成装置、問題作成方法及び懸賞管理システムに関する。
【背景技術】
【０００２】
従来、新聞、折込チラシ、雑誌、ダイレクトメール等の紙媒体を介した広告や、ホームページや電子メール等の電子媒体を介した広告が行われている。これらの広告は、費用が多大にかかるという問題や、広告媒体を受け取った人のうち当該広告に対して関心を抱く人がごく少数であり広告効果が小さいという問題がある。
【０００３】
これに対して、近年、検索サイト等においてユーザがキーワードを入力して検索すると、当該キーワードに対応した広告を検索結果に付随して表示させる検索連動型広告が行われている（例えば、特許文献１参照）。
【先行技術文献】
【特許文献】
【０００４】
【特許文献１】特開２００８−１０２１７４号公報
【発明の概要】
【発明が解決しようとする課題】
【０００５】
しかしながら、検索連動型広告では、人気のあるキーワードに対して広告を出稿する場合、上位の検索結果に対応して広告を表示させるのに多くの費用が発生するという問題がある。例えば、人気のあるキーワードに対して広告を出稿する場合に、上位の検索結果とともに広告を表示させるには、掲載費用を他の出稿者に比べて高く設定する必要がある。
【０００６】
その他の広告手法として、検索サイト等において、広告したい内容を記載したウェブページを検索結果の上位に表示させる方法がある。しかしながら、当該ウェブページを検索結果の上位に表示させるには、多くの場合、検索エンジン最適化（SEO：Search Engine Optimization）を行う必要があり、時間や労力を要するという問題がある。
【０００７】
また、その他の広告手法として、広告の出稿者が自社の商品を懸賞として提供する方法がある。懸賞を提供することにより、広告の出稿者は、見込み客の情報を取得したり、当該見込み客に対してダイレクトメールやメールマガジン等を送信したりすることができる。しかしながら、当該見込み客がダイレクトメールやメールマガジンを閲覧せずに破棄したり、閲覧したとしても広告の出稿者が閲覧してほしい部分については閲覧していなかったりするという問題がある。
【０００８】
ところで、広告の出稿者は、商品又はサービスを販売するにあたり、企業理念や、自身が販売する商品に対するこだわりを客に伝えたい場合がある。例えば、商品が高価なものであったとしても、当該商品に対するこだわりや企業理念によっては、客が購入したいと判断する場合があるため、広告の出稿者は、こだわりや企業理念を積極的に客に伝えようとする。
【０００９】
しかしながら、客は商品やサービスのデザインや金額、企業の場所や営業時間を重視することが多いことから、広告の閲覧者が企業理念やこだわり等のメッセージを広告内容として出稿したり、ＳＥＯ対策が施されたウェブページに当該メッセージを掲載したり、懸賞を行うことによって得られた見込み客に対して当該メッセージを含むダイレクトメール等を送信したりしても、当該メッセージを客が閲覧せず、客に対してメッセージが伝わらないという問題がある。
【００１０】
そこで、本発明はこれらの点に鑑みてなされたものであり、広告主が伝えたいメッセージを低コストで効率よく伝えることができる問題作成装置、問題作成方法及び懸賞管理システムを提供することを目的とする。
【課題を解決するための手段】
【００１１】
本発明の第１の態様に係る問題作成装置は、懸賞用問題を作成する問題作成装置であって、懸賞を提供する企業に専用の専用問題を記憶する第１記憶部に記憶されている１以上の前記専用問題を抽出する第１抽出部と、前記専用問題とは異なる問題を記憶する第２記憶部に記憶されている１以上の前記専用問題とは異なる問題を抽出する第２抽出部と、抽出した１以上の前記専用問題と、抽出した１以上の前記専用問題とは異なる問題とを含む懸賞用問題を作成する作成部と、
を備える。
【００１２】
前記問題作成装置は、前記企業の情報を含むページのアドレスを受け付けると、当該アドレスに基づいて当該ページにアクセスし、当該ページに含まれている前記企業の情報に基づいて前記専用問題を生成する生成部と、生成された前記専用問題を前記第１記憶部に登録する登録部とをさらに備えてもよい。
前記問題作成装置は、通信ネットワークを介して接続される外部装置が提供する情報に基づいて前記専用問題とは異なる問題を生成する生成部と、生成された前記専用問題とは異なる問題を前記第２記憶部に登録する登録部とをさらに備えてもよい。
前記作成部は、前記懸賞用問題として、１以上の前記専用問題及び１以上の前記専用問題とは異なる問題の集合体としてのパズル又はゲームを生成してもよい。
【００１３】
本発明の第２の態様に係る問題作成方法は、懸賞用問題を作成する問題作成方法であって、懸賞を提供する企業に専用の専用問題を記憶する第１記憶部に記憶されている１以上の前記専用問題を抽出するステップと、前記専用問題とは異なる問題を記憶する第２記憶部に記憶されている１以上の前記専用問題とは異なる問題を抽出するステップと、抽出した前記専用問題及び前記専用問題とは異なる問題を含む懸賞用問題を作成するステップと、
を備える。
【００１４】
本発明の第３の態様に係る懸賞管理システムは、懸賞用問題を作成する問題作成装置と端末とを備える懸賞管理システムであって、前記問題作成装置は、懸賞を提供する企業に専用の専用問題を記憶する第１記憶部に記憶されている１以上の前記専用問題を抽出する第１抽出部と、前記専用問題とは異なる問題を記憶する第２記憶部に記憶されている１以上の前記専用問題とは異なる問題を抽出する第２抽出部と、抽出した１以上の前記専用問題と、抽出した１以上の前記専用問題とは異なる問題とを含む懸賞用問題を作成する作成部と、前記端末から前記企業の選択を受け付けたことに応じて、当該企業に対応する懸賞用問題を当該端末に送信する送信部とを有し、前記端末は、前記企業の選択を行う選択部と、前記問題作成装置から前記懸賞用問題を受信する受信部とを有する。
【発明の効果】
【００１５】
本発明によれば、広告主が伝えたいメッセージを低コストで効率よく伝えることができるという効果を奏する。
【図面の簡単な説明】
【００１６】
【図１】第１の実施形態に係る懸賞管理システムの概要を示す。
【図２】第１の実施形態に係る懸賞管理装置の構成を示す。
【図３】第１の実施形態に係る企業情報記憶部に記憶されている情報の一例を示す。
【図４】第１の実施形態に係る懸賞情報記憶部に記憶されている情報の一例を示す。
【図５】第１の実施形態に係る専用問題記憶部に記憶されている情報の一例を示す。
【図６】第１の実施形態に係る共通問題記憶部に記憶されている情報の一例を示す。
【図７】第１の実施形態に係る作成部が作成したクロスワードパズルの一例を示す。
【図８】第１の実施形態に係る懸賞用問題記憶部に記憶されている情報の一例を示す。
【図９】第１の実施形態に係る回答入力画面の一例を示す図である。
【図１０】第１の実施形態に係る回答情報記憶部に記憶されている情報の一例を示す。
【図１１】第１の実施形態に係るユーザ情報記憶部に記憶されている情報の一例を示す。
【図１２】第１の実施形態に係る懸賞管理装置の処理の流れの一例を示すフローチャートを示す。
【図１３】第２の実施形態に係る懸賞用問題記憶部に記憶されている情報の一例を示す。
【図１４】第３の実施形態に係る懸賞管理装置の構成を示す。
【発明を実施するための形態】
【００１７】
＜第１の実施形態＞
［懸賞管理システムＳの概要］
図１は、第１の実施形態に係る懸賞管理システムＳの概要を示す。懸賞管理システムＳは、懸賞管理装置１と、提供者端末２と、ユーザ端末３とを備える。懸賞管理装置１は、企業が提供する懸賞に対応する懸賞用問題を作成し、懸賞サービスを利用するユーザに当該懸賞用問題を提供するコンピュータである。
【００１８】
懸賞管理装置１は、インターネット等の通信ネットワーク（不図示）を介して懸賞を提供する企業の端末である提供者端末２と、懸賞サービスを利用するユーザの端末であるユーザ端末３とに通信可能に接続されている。ユーザ端末３は、例えば、スマートフォン等の携帯端末であることとするが、これに限らず、ノートパソコンやデスクトップ型のパソコンであってもよい。
【００１９】
懸賞管理装置１は、問題作成装置として機能し、提供者端末２から、企業に専用の専用問題の登録を受け付ける。ここで、専用問題は、企業理念、企業が販売する商品等の名称、うたい文句等の、企業が外部に伝えたい企業特有のメッセージである。このため、複数の企業のそれぞれで専用問題は異なるが、一致する場合もある。懸賞管理装置１は、受け付けた専用問題を記憶する（図１の（１））。懸賞管理装置１は、専用問題の他に、複数の企業に共通して用いられる共通問題を記憶しており、１以上の専用問題と、１以上の共通問題とを含む懸賞用問題を作成する（図１の（２））。
【００２０】
懸賞管理装置１は、ユーザ端末３から、懸賞を提供する複数の企業の中から一の企業の選択を受け付ける（図１の（３））。懸賞管理装置１は、企業の選択を受け付けたことに応じて、当該企業に対応する懸賞用問題をユーザ端末３に送信する（図１の（４））。懸賞用問題を受信したユーザ端末３は、ユーザから懸賞用問題の回答を受け付け、回答を示す回答情報を懸賞管理装置１に送信する（図１の（５））。ここで、専用問題の内容を企業がユーザに伝えたいメッセージとすることで、ユーザは、懸賞用問題に含まれる専用問題を解く際に当該メッセージを確認することとなる。これにより、懸賞管理装置１は、伝えたいメッセージを効率よくユーザに伝えることができる。
【００２１】
懸賞管理装置１は、回答情報を送信したユーザの中から、抽選等によって懸賞の当選者を決定し、当選者に対して懸賞に対応する特典を付与する（図１の（６））。懸賞管理装置１は、特典を付与したことを少なくとも回答情報を送信したユーザに通知する（図１の（７））。
【００２２】
［懸賞管理装置１の構成例］
続いて、懸賞管理装置１の機能構成について説明する。図２は、第１の実施形態に係る懸賞管理装置１の構成を示す。
懸賞管理装置１は、記憶部１１と、制御部１２とを備える。
【００２３】
記憶部１１は、例えば、ＲＯＭ及びＲＡＭ等により構成される。記憶部１１は、懸賞管理装置１を機能させるための各種プログラムを記憶する。例えば、記憶部１１は、懸賞管理装置１の制御部１２を、後述する登録部１２１、作成部１２２、選択受付部１２３、送信部１２４、回答受付部１２５、特典付与部１２６、通知部１２７、評価受付部１２８、及び評価通知部１２９として機能させる懸賞管理プログラムを記憶する。記憶部１１は、外部メモリ等の記憶媒体に記憶されたプログラムを読み取って記憶してもよく、インターネット等のネットワークを介して外部機器からダウンロードされたプログラムを記憶してもよい。
【００２４】
また、記憶部１１は、企業情報記憶部１１１と、懸賞情報記憶部１１２と、専用問題記憶部（第１記憶部）１１３と、共通問題記憶部（第２記憶部）１１４と、懸賞用問題記憶部１１５と、回答情報記憶部１１６と、ユーザ情報記憶部１１７と、評価情報記憶部１１８とを備える。これらの詳細については、後述する。
【００２５】
制御部１２は、例えば、ＣＰＵにより構成される。制御部１２は、記憶部１１に記憶されている各種プログラムを実行することにより、懸賞管理装置１に係る機能を統括的に制御する。制御部１２は、登録部１２１と、作成部１２２と、選択受付部１２３と、送信部１２４と、回答受付部１２５と、特典付与部１２６と、通知部１２７と、評価受付部１２８と、評価通知部１２９とを備える。
【００２６】
登録部１２１は、提供者端末２から企業に係る情報を受け付け、企業情報記憶部１１１に記憶させる。具体的には、登録部１２１は、企業に係る情報として、企業名と、当該企業を紹介する企業紹介情報と、当該企業が属する業種を示す情報であるカテゴリと、当該企業が所在する地域とを受け付ける。ここで、登録部１２１は、企業紹介情報を受け付けるために、情報入力用のひな形を提供者端末２に表示させ、当該ひな形を介して文章や写真等を受け付ける。
【００２７】
登録部１２１は、企業に係る情報を受け付けると、企業を識別する企業ＩＤを生成する。この企業ＩＤは、懸賞を提供する企業を識別する識別情報として用いられる。登録部１２１は、生成した企業ＩＤと、受け付けた企業に係る情報とを関連付けて企業情報記憶部１１１に記憶させる。図３は、企業情報記憶部１１１に記憶されている情報の一例を示す。企業情報記憶部１１１は、企業ＩＤと、企業名と、企業紹介情報と、地域を示す地域情報と、カテゴリとを関連付けて記憶する。
【００２８】
また、登録部１２１は、提供者端末２から懸賞に係る情報を受け付け、懸賞情報記憶部１１２に記憶させる。具体的には、登録部１２１は、懸賞に係る情報として、懸賞を提供する企業を識別する企業ＩＤと、懸賞の締切を示す締切日と、当選者数と、懸賞に対応する特典を示す情報とを受け付ける。登録部１２１は、懸賞に係る情報を受け付けると、懸賞を識別する懸賞ＩＤを生成し、当該懸賞ＩＤと、懸賞に係る情報とを関連付けて懸賞情報記憶部１１２に記憶させる。図４は、懸賞情報記憶部１１２に記憶されている情報の一例を示す。懸賞情報記憶部１１２は、懸賞ＩＤと、企業ＩＤと、締切日と、当選者数と、特典を示す情報とを関連付けて記憶する。ここで、特典は、どのようなものであってもよく、例えば、ポイントや、懸賞を提供する企業の商品等が挙げられる。なお、懸賞情報記憶部１１２は、当選者数を記憶することとしたが、これに限らず、「懸賞応募者にもれなく特典を付与」といったように当選条件を記憶してもよい。
【００２９】
また、登録部１２１は、提供者端末２から、懸賞を提供する企業に専用の専用問題と、当該専用問題に対する正答とを受け付け、当該受け付けた専用問題及び正答を専用問題記憶部１１３に登録する。具体的には、登録部１２１は、提供者端末２に、企業ＩＤと、カテゴリと、専用問題と、当該専用問題に対する正答とを受け付ける専用問題登録画面（フォーム画面）を表示させ、当該専用問題登録画面を介して、企業ＩＤと、カテゴリと、専用問題と、当該専用問題に対する正答とを受け付ける。
【００３０】
ここで、カテゴリは、企業の業種を示す情報に限らず、企業が提供する懸賞のジャンルを示す情報であってもよい。また、カテゴリには、企業又は企業が提供する懸賞を分類するための情報が複数含まれていてもよい。このようにすることで、ユーザは、カテゴリを絞り込むことで、懸賞を絞り込むことができる。
【００３１】
登録部１２１は、これらの情報を受け付けると、専用問題を一意に識別する識別情報である問題ＩＤを生成し、問題ＩＤと、これらの情報とを関連付けて専用問題記憶部１１３に登録する。図５は、専用問題記憶部１１３に記憶されている情報の一例を示す。図５に示されるように、専用問題記憶部１１３には、問題ＩＤと、企業ＩＤと、カテゴリと、専用問題と、正答とが関連付けて記憶されている。
【００３２】
なお、登録部１２１は、専用問題登録画面を介してカテゴリを受け付けることとしたが、これに限らず、専用問題登録画面を介して入力された専用問題又は正答に基づいてカテゴリを特定してもよい。例えば、記憶部１１に、カテゴリと、キーワードとを関連付けたカテゴリ特定用情報を記憶させておき、登録部１２１は、当該特定用情報を参照し、受け付けた専用問題又は正答に含まれるキーワードに関連するカテゴリを特定してもよい。
【００３３】
また、登録部１２１は、生成部として機能し、提供者から、企業理念等の企業が発信したい情報としての企業の情報を含むページのアドレスを受け付けると、当該アドレスに基づいて当該ページにアクセスし、当該ページに含まれている企業の情報に基づいて専用問題を生成してもよい。そして、登録部１２１は、生成された専用問題を専用問題記憶部１１３に登録してもよい。
【００３４】
具体的には、登録部１２１は、提供者端末２から企業の情報を含むページのアドレスと、企業ＩＤと、カテゴリとを受け付けるとともに、専用問題を作成する作成指示を受け付ける。登録部１２１は、作成指示を受け付けたことに応じて、当該ページにアクセスする。ここで、ページは、例えばｈｔｍｌタグを含むウェブページである。続いて、登録部１２１は、当該ページを解析し、当該ページに含まれているｈｔｍｌタグに基づいて「企業理念」や「会社概要」等の会社に特有の情報に対応している可能性が高い文章を抽出し、当該文章に基づいて専用問題及び回答を生成する。
【００３５】
例えば、登録部１２１は、アクセスしたページを解析し、「企業理念」や「会社概要」といったキーワードの直前の開始タグと、当該開始タグに対応する終了タグとを特定することにより、当該キーワードに対応する文章を特定する。ここで、登録部１２１は、特定のタグ（例えば、文字強調タグ（strongタグ、bタグ、文字強調を示すスタイル情報が適用されたタグ等））又は記号（例えば、各種括弧）によって囲まれるキーワードを問題の正答とし、当該キーワードを含む文に対して当該キーワードを埋める問題を専用問題として生成する。
ここで、登録部１２１は、生成した専用問題等を記憶部１１に一時的に記憶させておき、懸賞サービスの運営者や提供者等の確認又は修正が行われたことに応じて、当該専用問題等を専用問題記憶部１１３に記憶させるようにしてもよい。このようにすることで、懸賞サービスの運営者等や提供者等は、登録部１２１が自動的に生成した専用問題等の内容が妥当か否かを評価したうえで、当該専用問題等を専用問題記憶部１１３に記憶させることができる。
【００３６】
続いて、登録部１２１は、問題ＩＤを生成し、当該問題ＩＤと、受け付けた企業ＩＤ及びカテゴリと、生成された専用問題及び正答とを関連付けて専用問題記憶部１１３に記憶させる。このように専用問題を自動的に生成することで、提供者は、専用問題を作成する作業を省略することができる。なお、登録部１２１は、自動的に生成された専用問題の修正を提供者端末２から受け付けてもよい。
また、専用問題には、フォーム画面を介して手動で登録された問題のみ、又は登録部１２１が自動で登録した問題のみが含まれていてもよい。また、専用問題には、フォーム画面を介して手動で登録された問題と、登録部１２１が自動で登録した問題とが混在して含まれていてもよい。また、登録部１２１は、上述した専用問題の記憶方法に限らず、他の方法によって専用問題を専用問題記憶部１１３に記憶させてもよい。
【００３７】
なお、記憶部１１に、企業ＩＤと、企業名と、当該企業の情報とを関連付けて記憶する企業情報記憶部を設けておき、登録部１２１が、インターネット等の通信ネットワークを介して各企業のホームページ等にアクセスすることにより取得した企業の情報を、企業ＩＤと、企業名とに関連付けて企業情報記憶部に予め記憶してもよい。登録部１２１は、生成部として機能し、提供者から企業の識別情報として企業ＩＤ又は企業名を受け付けると、企業情報記憶部を参照し、当該企業の識別情報に関連付けられている企業の情報に基づいて専用問題を生成してもよい。そして、登録部１２１は、生成された専用問題を専用問題記憶部１１３に登録してもよい。このように専用問題を自動的に生成することで、提供者は、ページを指定することなく専用問題を作成する作業を省略することができる。
【００３８】
作成部１２２は、提供者端末２から懸賞用問題を作成する作成指示を受け付けたことに応じて、第１抽出部として機能し、専用問題記憶部１１３に記憶されている１以上の専用問題を抽出する。また、作成部１２２は、提供者端末２から懸賞用問題を作成する作成指示を受け付けたことに応じて、第２抽出部として機能し、共通問題記憶部１１４に記憶されている１以上の共通問題（専用問題とは異なる情報）を抽出する。そして、作成部１２２は、抽出した１以上の専用問題と、抽出した１以上の共通問題（専用問題とは異なる問題）とを含む懸賞用問題を作成する。
【００３９】
ここで、共通問題記憶部１１４に記憶されている情報について説明する。図６は、共通問題記憶部１１４に記憶されている情報の一例を示す。共通問題記憶部１１４は、複数の企業に共通して用いられる共通問題を記憶する。具体的には、共通問題記憶部１１４には、図６に示されるように、共通問題を一意に識別する識別情報である問題ＩＤと、共通問題が属するカテゴリと、共通問題と、当該共通問題に対応する正答とが関連付けて記憶されている。これらの情報は、例えば、懸賞サービスの運営者等によって予め登録されているものとする。なお、共通問題、当該共通問題に対する正答、当該共通問題に対応するカテゴリは、予め共通問題記憶部１１４に登録されることとしたが、これに限らず、例えば、専用問題の登録後に登録されるものであってもよい。
【００４０】
なお、共通問題、当該共通問題に対する正答、当該共通問題に対応するカテゴリは、懸賞サービスの運営者等によって登録されることとしたが、これに限らない。例えば、生成部としての登録部１２１が、インターネット等の通信ネットワークを介して接続される外部装置が提供する情報に基づいて共通問題を生成してもよい。具体的には、登録部１２１は、インターネットを介して懸賞管理装置１が接続可能なウェブサーバにアクセスし、当該ウェブサーバに含まれる情報に基づいて、共通問題及び当該共通問題に対する正答を生成してもよい。
【００４１】
例えば、登録部１２１は、ニュースサイト等にアクセスし、当該ニュースサイトが提供する記事から、特定のタグ又は記号によって囲まれるキーワードを含む文を選択する。そして、登録部１２１は、当該キーワードを問題の正答とし、当該キーワードを含む文に対して当該キーワードを埋める問題を共通問題として生成する。また、登録部１２１は、カテゴリと、キーワードとを関連付けたカテゴリ特定用情報を参照し、当該キーワードに関連するカテゴリを、共通問題に対応するカテゴリに特定してもよい。
【００４２】
ここで、登録部１２１は、生成した共通問題等を記憶部１１に一時的に記憶させておき、懸賞サービスの運営者や提供者等の確認又は修正が行われたことに応じて、当該共通問題等を共通問題記憶部１１４に記憶させるようにしてもよい。このようにすることで、懸賞サービスの運営者や提供者等は、登録部１２１が自動的に生成した共通問題等の内容が妥当か否かを評価したうえで、当該共通問題等を共通問題記憶部１１４に記憶させることができる。
【００４３】
また、共通問題は、複数の企業に共通して用いられる問題であることとしたが、これに限らない。例えば、共通問題は、専用問題とは異なる問題であればよく、複数の企業に共通して用いられずに、複数の企業のそれぞれで個別に管理されていてもよい。この場合、登録部１２１は、提供者端末２に、企業ＩＤと、カテゴリと、共通問題と、当該共通問題に対する正答とを受け付ける共通問題登録画面（フォーム画面）を表示させ、当該共通問題登録画面を介して、企業ＩＤと、カテゴリと、共通問題と、当該共通問題に対する正答とを受け付けてもよい。そして、登録部１２１は、企業ＩＤと、カテゴリと、共通問題と、当該共通問題に対する正答とを共通問題記憶部１１４に記憶させるようにしてもよい。このようにすることで、企業ごとに共通問題を管理することができる。
【００４４】
また、共通問題には、フォーム画面を介して手動で登録された問題のみ、又は登録部１２１が自動で登録した問題のみが含まれていてもよい。また、共通問題には、フォーム画面を介して手動で登録された問題と、登録部１２１が自動で登録した問題とが混在して含まれていてもよい。また、登録部１２１は、上述した共通問題の記憶方法に限らず、他の方法によって共通問題を共通問題記憶部１１４に記憶させてもよい。
【００４５】
なお、共通問題に対応する問題ＩＤと、専門問題に対応する問題ＩＤとはそれぞれ区別可能に生成される。本実施形態では、問題ＩＤの先頭の文字が「Ａ」の場合には専用問題、「Ｂ」の場合には共通問題を示しているものとする。
【００４６】
ここで、作成部１２２の具体的な処理について説明する。まず、作成部１２２は、提供者端末２から懸賞用問題を作成する作成指示を受け付ける。作成指示には企業ＩＤ及び懸賞ＩＤが含まれており、作成部１２２は、専用問題記憶部１１３を参照し、当該企業ＩＤに関連付けられている１以上の専用問題を抽出する。また、作成部１２２は、専用問題記憶部１１３を参照し、当該専用問題に関連付けられているカテゴリを企業が属するカテゴリとして特定する。
【００４７】
続いて、作成部１２２は、共通問題記憶部１１４に記憶されている、企業が属するカテゴリに対応する１以上の共通問題を抽出する。具体的には、作成部１２２は、抽出した専用問題の回答に含まれている文字を回答に含んでいる１以上の共通問題を抽出する。続いて、作成部１２２は、抽出した専用問題と、抽出した共通問題とを含む懸賞用問題を作成する。ここで、作成部１２２は、抽出した専用問題及び共通問題を含む懸賞用問題として、クロスワードパズルを作成する。なお、作成部１２２は、クロスワードパズルを作成するに限らず、懸賞用問題として、１以上の専用問題及び１以上の共通問題の集合体としてのパズル又はゲームを生成してもよい。
【００４８】
例えば、作成部１２２は、まず、抽出した専用問題の一つについて、正答の文字数に対応する回答用のマスを設ける。そして、作成部１２２は、当該回答用のマスに入力される正答に含まれる文字を含んでいる共通問題を抽出する。例えば、専用問題の正答が、「ほっかいどう」である場合には、作成部１２２は、「ほっかいどう」を構成する文字を含む正答「うどん」に対応する共通問題を選択する。そして、専用問題の正答の回答用のマスと接続するように、共通問題の回答用のマスを追加する。例えば、専用問題に対応する回答用のマスが縦のマスである場合には、共通問題に対応する回答用のマスを横のマスとする。
【００４９】
続いて、作成部１２２は、抽出した専用問題又は共通問題のうち、回答用のマスを設定していない問題を選択する。そして、当該問題の回答に、既に回答用のマスを設定した問題の回答に含まれる文字と一致する文字が含まれているか否かを判定する。作成部１２２は、一致する文字が含まれている場合には、既に設けられている回答用のマスに、新たに選択した問題の回答用のマスを接続して設ける。また、作成部１２２は、一致する文字が含まれていない場合には、独立して回答用のマスを設ける。この処理を繰り返すことによって、作成部１２２は、クロスワードパズルを生成する。
【００５０】
作成部１２２が作成したクロスワードパズルについて、図７に示す例を用いて説明すると、まず、本実施形態では、クロスワードパズルに設けられる左上の回答用のマスの座標を原点（０，０）とする。そして、原点を基準とした右方向の位置をＸとし、原点を基準とした下方向の位置をＹとし、任意のマスの座標を（Ｘ，Ｙ）と表現する。
【００５１】
専用問題及び共通問題に対する回答の入力位置には、問題番号が付されている。この問題番号は、クロスワードパズルに含まれる専用問題及び共通問題が、どの位置のマスに対応しているかを示す識別情報である。例えば、図７に示す例では、原点（０，０）には、番号「１」が付されている。この番号「１」は、縦のマスを埋める問題と、横のマスを埋める問題に対応している。例えば、番号「１」に対応した縦のマスを埋める問題の問題番号は、「縦１」と表現され、番号「１」に対応した横のマスを埋める問題の問題番号は、「横１」と表現される。
【００５２】
図８は、懸賞用問題記憶部１１５に記憶されている情報を示す。懸賞用問題記憶部１１５は、複数の懸賞用問題を記憶する。懸賞用問題記憶部１１５には、図８に示されるように、懸賞ＩＤと、企業ＩＤと、カテゴリと、当該クロスワードパズルに含まれる専用問題及び共通問題に対応する問題番号と、当該専用問題及び共通問題を識別する問題ＩＤと、回答を入力するマスの座標を示す情報である入力位置と、正答の文字数を示す情報である文字数と、問題に対応する正答とが関連付けて記憶されている。
【００５３】
作成部１２２は、クロスワードパズルを作成すると、懸賞ＩＤと、企業ＩＤと、カテゴリと、問題番号と、問題ＩＤと、入力位置と、回答の文字数と、正答とを関連付けて懸賞用問題記憶部１１５に記憶させる。
【００５４】
なお、作成部１２２は、クロスワードパズルの作成時に、クロスワードパズルの難易度（クロスワードパズルを構成する問題の難易度、又はクロスワードパズルの規模）を受け付け、当該難易度に基づいてクロスワードパズルを作成してもよい。この際、作成指示には、懸賞用問題の難易度が含まれるようにしてもよい。また、作成部１２２は、企業が提供する懸賞の価値に基づいてクロスワードパズルの難易度を決定し、当該難易度に基づいてクロスワードパズルを作成してもよい。この場合、クロスワードパズルの難易度は、懸賞用問題記憶部１１５において懸賞ＩＤ及び企業ＩＤと関連付けられて記憶されてもよい。
【００５５】
選択受付部１２３は、懸賞を申し込むユーザが使用しているユーザ端末３から、企業の選択を受け付ける。具体的には、選択受付部１２３は、例えば、懸賞用のページを提供しており、ユーザ端末３から、当該ページを介して懸賞の応募の要求を受け付けると、懸賞を提供する企業のカテゴリ及び地域の少なくともいずれかを選択するための選択画面をユーザ端末３に送信する。
【００５６】
選択受付部１２３は、ユーザ端末３からカテゴリの選択を受け付けたことに応じて、企業情報記憶部１１１を参照し、当該カテゴリに属している企業を特定する。そして、選択受付部１２３は、特定した企業を示す情報を当該ユーザ端末３に送信し、当該企業の中から一の企業の選択を受け付ける。
【００５７】
また、選択受付部１２３は、ユーザ端末３から地域の選択を受け付けたことに応じて、企業情報記憶部１１１を参照し、当該地域に属している企業を特定する。そして、選択受付部１２３は、特定した企業を示す情報を当該ユーザ端末３に送信し、当該企業の中から一の企業の選択を受け付ける。なお、選択受付部１２３は、地域を示す情報として、駅名の選択を受け付けるようにしてもよい。
【００５８】
ここで、選択受付部１２３は、例えば、地域又はカテゴリに基づいて特定した企業を示す情報として、特定した企業ＩＤに対応する企業名を含む企業選択画面をユーザ端末３に送信する。ユーザ端末３は、選択部として機能し、ユーザ端末３のユーザが、企業選択画面を参照し、関心がある企業を選択すると、企業ＩＤを含み、懸賞用問題を要求する問題リクエストを懸賞管理装置１に送信する。選択受付部１２３は、当該問題リクエストを受信することにより、企業の選択を受け付ける。このようにすることで、ユーザ端末３のユーザは、自身が希望するカテゴリや地域に対応する企業を選択することができる。この際、選択受付部１２３は、企業選択画面に懸賞用問題としてのクロスワードパズルを含ませてユーザ端末３に送信し、当該クロスワードパズルを選択することによって企業の選択を受け付けるようにしてもよい。
【００５９】
なお、選択受付部１２３は、カテゴリ及び地域の双方の選択を受け付け、受け付けたカテゴリ及び地域に対応する企業を示す情報をユーザ端末３に送信し、当該企業の中から一の企業の選択を受け付けてもよい。例えば、選択受付部１２３は、ユーザ端末３が選択したカテゴリに属している複数の企業を示す情報を当該ユーザ端末３に送信し、その後、当該複数の企業のそれぞれに対応している地域から、ユーザが関心を持っている地域の選択を受け付けてもよい。また、選択受付部１２３は、ユーザ端末３が選択した地域に属している複数の企業を示す情報を当該ユーザ端末３に送信し、その後、当該複数の企業のそれぞれに対応しているカテゴリから、ユーザが関心を持っているカテゴリの選択を受け付けてもよい。
【００６０】
また、選択受付部１２３は、複数の懸賞のそれぞれに対応する特典を示す情報をユーザ端末３に送信し、当該複数の特典の中から一の特典を受け付けることにより、当該特典に関連付けられている企業の選択を受け付けてもよい。例えば、選択受付部１２３は、ユーザ端末３からカテゴリの選択を受け付けたことに応じて、懸賞情報記憶部１１２及び懸賞用問題記憶部１１５を参照し、当該カテゴリに属している懸賞の特典を特定する。そして、選択受付部１２３は、特定した特典を示す情報を当該ユーザ端末３に送信し、当該特典の中から一の特典の選択を受け付けることにより、当該特典に関連付けられている企業の選択を受け付けてもよい。
【００６１】
また、選択受付部１２３は、クロスワードパズルの難易度の選択を受け付けたことに応じて、当該難易度に関連付けられている企業を示す情報を端末に送信し、当該企業の中から一の企業の選択を受け付けてもよい。例えば、選択受付部１２３は、クロスワードパズルの難易度の選択を受け付けたことに応じて、懸賞情報記憶部１１２及び懸賞用問題記憶部１１５を参照し、当該難易度に対応する懸賞の特典を特定する。そして、選択受付部１２３は、特定した特典を示す情報を当該ユーザ端末３に送信し、当該特典の中から一の特典の選択を受け付けることにより、当該特典に関連付けられている企業の選択を受け付けてもよい。また、選択受付部１２３は、特典の選択を受け付ける際に、当該特典に対応するクロスワードパズルを当該ユーザ端末３に送信し、特典の選択前にユーザがクロスワードパズルを確認できるようにしてもよい。
【００６２】
また、選択受付部１２３は、ユーザ端末３から、当該ユーザ端末３の位置を示す位置情報を受け付けたことに応じて、当該位置情報が示す位置から所定範囲内の位置に所在している企業を示す情報をユーザ端末３に送信し、当該企業の中から一の企業の選択を受け付けてもよい。例えば、選択受付部１２３は、ユーザ端末３の位置を示す位置情報を受け付けると、当該位置情報が示す地域を特定する。そして、選択受付部１２３は、企業情報記憶部１１１を参照して当該地域に属している企業を特定し、特定した企業を示す情報を当該ユーザ端末３に送信し、当該企業の中から一の企業の選択を受け付ける。なお、選択受付部１２３は、位置情報が示す位置から所定範囲内の位置に所在する企業として、当該位置情報が示す地域内に所在する企業を特定したが、これに限らない。例えば、位置情報が示す位置から１ｋｍ以内に所在する企業を特定してもよい。このようにすることで、ユーザ端末３のユーザは、当選した懸賞に対応する特典の内容が、企業の所在地において提供される特典であったとしても、当該所在地に短時間で到着して特典を受け取ることができる。
【００６３】
また、選択受付部１２３は、ユーザ端末３から検索用のキーワードを受け付け、当該キーワードに対応する企業を選択してもよい。具体的には、選択受付部１２３は、ユーザ端末３からキーワードを受け付けると、企業情報記憶部１１１に記憶されている企業紹介情報を参照し、当該キーワードを含む企業紹介情報を特定する。そして、選択受付部１２３は、特定した企業紹介情報に対応する企業を示す情報をユーザ端末３に送信し、当該企業の中から企業の一の企業の選択を受け付けてもよい。このようにすることで、ユーザ端末３のユーザは、自身が希望するキーワードに対応する企業を選択することができる。
【００６４】
送信部１２４は、懸賞用問題記憶部１１５を参照し、選択された企業に対応する懸賞用問題を抽出し、ユーザ端末３に送信する。具体的には、送信部１２４は、懸賞用問題記憶部１１５を参照し、問題リクエストに含まれる企業ＩＤに関連付けられている懸賞ＩＤを特定し、当該懸賞ＩＤに関連付けられている問題番号、入力位置、及び文字数に基づいて、クロスワードパズルの回答入力用の入力フォームを生成する。また、送信部１２４は、専用問題記憶部１１３及び共通問題記憶部１１４を参照し、当該問題番号に関連付けられている問題ＩＤに対応する専用問題又は共通問題を特定し、クロスワードパズルの問題リストを生成する。送信部１２４は、生成した入力フォーム及び問題リストを含む回答入力画面をユーザ端末３に送信する。
【００６５】
図９は、回答入力画面の一例を示す図である。図９に示すように回答入力画面には、入力フォーム領域３１と、問題領域３２とが設けられている。入力フォーム領域３１には、ユーザ端末３のユーザから回答の入力を受け付ける入力フォーム３１１と、入力した回答を懸賞管理装置１に送信するための送信ボタン３１２とが設けられている。ここで、送信ボタン３１２は、入力フォームに対して全ての回答が入力されたことに応じて押下可能に表示制御されてもよい。問題領域３２には、問題リストが表示されており、例えば、ユーザ端末３においてこの領域をスワイプ又はフリックする操作が行われたことに応じて、問題リストがスクロール表示される。なお、回答入力画面には、懸賞の内容が表示されていてもよい。
【００６６】
また、回答入力画面には、どこを調べれば回答が掲載されているかをユーザに教えるために、回答が掲載されているページのリンクを挿入し、ユーザが当該ページを確認できるようにしてもよい。例えば、専用問題の作成時に提供者端末２から、専用問題とともに回答の掲載先のページのアドレスを受け付けて専用問題記憶部１１３に記憶させておき、作成部１２２が、クロスワードパズルの生成時に、専用問題と当該アドレスと関連付けてクロスワードパズルを生成しておく。そして、回答入力画面に含まれる問題リストにおいて、ヒントボタンを設けるとともに、問題を選択することができるようにし、問題が選択された状態でヒントボタンが押下されたことに応じて、回答の掲載先のページのリンクが表示されるようにしたり、当該ページに直接遷移可能にしたりしてもよい。
【００６７】
ユーザ端末３は、受信部として機能し、懸賞用問題としてのクロスワードパズルの回答入力画面を受信する。ユーザ端末３において、入力フォーム３１１に回答が入力され、送信ボタン３１２を押下する操作が行われると、回答情報が送信される。この回答情報には、懸賞ＩＤと、ユーザ端末３のユーザのユーザＩＤと、複数の問題番号と、これらの問題番号に対応する回答とが含まれている。
【００６８】
回答受付部１２５は、ユーザ端末３から回答情報を受け付ける。回答受付部１２５は、受け付けた回答を回答情報記憶部１１６に記憶する。
図１０は、回答情報記憶部１１６に記憶されている情報を示す。回答情報記憶部１１６は、クロスワードパズルに対するユーザの回答情報を記憶する。具体的には、回答情報記憶部１１６には、懸賞ＩＤと、ユーザＩＤと、問題番号と、回答とが関連付けて記憶されている。
【００６９】
特典付与部１２６は、懸賞の応募が締め切られると、懸賞に応募したユーザの中から、当該懸賞に対応する特典を付与するユーザの抽選を行い、当該懸賞に当選したユーザに当該特典を付与する。具体的には、特典付与部１２６は、まず、回答情報記憶部１１６に記憶されているユーザの回答と、懸賞用問題記憶部１１５に記憶されている正答とを照合して、クロスワードパズルに正解したユーザを特定する。そして、特典付与部１２６は、懸賞情報記憶部１１２を参照して抽選を行い、クロスワードパズルに正解したユーザの中から当選したユーザを抽出する。
【００７０】
特典付与部１２６は、ユーザに付与する特典が、ポイントである場合には、ユーザ情報記憶部１１７に記憶されているポイント数を参照し、ポイントを加算する処理を行う。図１１は、ユーザ情報記憶部１１７に記憶されている情報の一例を示す。
【００７１】
図１１に示すように、ユーザ情報記憶部１１７は、ユーザＩＤと、ユーザ名と、ユーザの住所と、ユーザの連絡先と、ユーザが保持するポイントのポイント数とを関連付けて記憶する。図１１に示す例では、ポイントは、懸賞サービスを利用する複数の企業のそれぞれに対応して管理されている。図１１において、例えばユーザＩＤ「Ｕ０００１」は、企業「Ｃ０００１」に対応するポイントとして９００ポイントを保持している。
【００７２】
特典付与部１２６は、特典がポイントである場合には、懸賞に当選したユーザに、複数の店舗のそれぞれで独立したポイントを付与する。複数の店舗に対して独立したポイントを採用することで、ポイントを付与されたユーザが他店においてポイントを使用し、顧客が他店に流出することを防ぐことができる。
【００７３】
また、特典付与部１２６は、特典がポイントではない場合には、ユーザ情報記憶部１１７を参照し、当選したユーザのユーザ名、住所及び連絡先を特定し、これらの情報を当選者情報として、懸賞を提供した企業に対応する提供者端末２に送信する。これにより、懸賞を提供した企業の担当者が、当選者情報に基づいて当選者に懸賞の特典としての商品等を発送することができる。
【００７４】
通知部１２７は、懸賞に当選したユーザのユーザＩＤを、少なくとも懸賞に応募したユーザに通知する。例えば、通知部１２７は、回答情報記憶部１１６を参照し、抽選が行われた懸賞に対応するクロスワードパズルに回答したユーザのユーザＩＤを特定する。そして、通知部１２７は、ユーザ情報記憶部１１７を参照し、当該ユーザＩＤに関連付けられているユーザの連絡先に、懸賞に当選したユーザのユーザＩＤを含む通知情報を送信してもよい。
【００７５】
また、通知部１２７は、懸賞に当選したユーザのユーザＩＤを、懸賞を提供した企業に対応する提供者端末２に送信し、当該企業のホームページ等に当該ユーザ情報を掲載するようにしてもよい。このようにすることで、懸賞管理装置１は、当選が公正に行われていることを周知させることができる。
【００７６】
評価受付部１２８は、ユーザから企業に対する評価を受け付ける。例えば、企業それぞれの評価を受け付ける評価受付フォームを含むページを懸賞サイトや、企業のホームページ内に設けておく。そして、評価受付部１２８は、当該ページを介して、懸賞サービスを利用しているユーザから企業に対する評価を受け付ける。評価受付部１２８は、評価受付フォームにおいて、ユーザＩＤと、評価内容を示す評価情報との入力を受け付ける。ここで、評価受付フォームには予め企業ＩＤが関連付けられており、評価受付部１２８は、入力を受け付けると、企業ＩＤと、ユーザＩＤと、評価情報とを関連付けて評価情報記憶部１１８に記憶させる。
【００７７】
評価通知部１２９は、ユーザ端末３に、複数の企業のそれぞれに対応する評価を通知する。例えば、懸賞サイトにおいて、懸賞を提供する企業を選択するページに、複数の企業それぞれに対応する評価の問い合わせを受け付けるページのリンクを設けておく。このリンク先のアドレスは、懸賞管理装置１を示しているとともに、企業ＩＤを示すパラメータが付されている。評価通知部１２９は、この評価閲覧ページのリンクを介して懸賞管理装置１がユーザ端末３からのアクセスを受け付けると、評価情報記憶部１１８から当該企業ＩＤに対応するユーザＩＤ及び評価情報を抽出する。そして、評価通知部１２９は、抽出したユーザＩＤ及び評価情報を含む評価ページを生成してユーザ端末３に送信する。
【００７８】
このようにすることで、この評価情報を閲覧した他のユーザは、企業に対する評価を把握することができる。また、評価ページでは、評価情報に対してユーザＩＤが関連付けられていることから、評価情報を閲覧した他のユーザは、評価を行ったユーザの評価内容の傾向を特定し、評価の信頼性を判断することができる。
【００７９】
続いて、懸賞管理装置１の処理の流れについてフローチャートを用いて説明する。図１２は、本実施形態に係る懸賞管理装置１の処理の流れの一例を示すフローチャートである。ここでは、専用問題を登録してから懸賞の抽選結果が通知されるまでの処理の流れについて説明する。
【００８０】
まず、登録部１２１は、提供者端末２から専用問題を受け付け、当該受け付けた専用問題を専用問題記憶部１１３に登録する（Ｓ１１）。
続いて、作成部１２２は、提供者端末２から懸賞用問題を作成する作成指示を受け付けたことに応じて、専用問題記憶部１１３に記憶されている１以上の専用問題と、共通問題記憶部１１４に記憶されている１以上の共通問題とを含む懸賞用問題としてクロスワードパズルを作成する（Ｓ１２）。作成部１２２は、クロスワードパズルを作成すると、当該クロスワードパズルに関連する情報を懸賞用問題記憶部１１５に記憶させる。
【００８１】
続いて、送信部１２４は、ユーザ端末３から企業の選択を受け付ける（Ｓ１３）。
続いて、送信部１２４は、企業が選択されたことに応じて当該企業に対応するクロスワードパズルを抽出し（Ｓ１４）、当該クロスワードパズルをユーザ端末３に送信する（Ｓ１５）。
続いて、回答受付部１２５は、ユーザ端末３から回答情報を受け付ける（Ｓ１６）。回答受付部１２５は、受け付けた回答を回答情報記憶部１１６に記憶する。
【００８２】
続いて、特典付与部１２６は、応募が締め切られた懸賞があるか否かを判定する（Ｓ１７）。特典付与部１２６は、応募が締め切られた懸賞があると判定すると、Ｓ１８に処理を移し、当該応募が締め切られた懸賞がないと判定すると、Ｓ１３に処理を移す。
【００８３】
続いて、特典付与部１２６は、応募が締め切られた懸賞について、当該懸賞に応募したユーザの中から、当該懸賞に対応する特典を付与するユーザの抽選を行い（Ｓ１８）、当該懸賞に当選したユーザに当該特典を付与する（Ｓ１９）。
続いて、通知部１２７は、懸賞に当選したユーザを識別するユーザ識別情報を、少なくとも懸賞に応募したユーザに通知する（Ｓ２０）。
【００８４】
［第１の実施形態における効果］
以上のとおり、第１の実施形態に係る懸賞管理装置１は、専用問題記憶部１１３に記憶されている１以上の専用問題と、共通問題記憶部１１４に記憶されている１以上の共通問題とを含むクロスワードパズルを作成する。専用問題の内容を企業がユーザに伝えたいメッセージとすることで、ユーザは、当該クロスワードパズルに含まれる専用問題を解く際に当該メッセージを確認することとなる。また、このクロスワードパズルに対応する特典は、懸賞の提供者が、例えば懸賞にかける予算に基づいて設定することができる。よって、懸賞管理装置１は、広告主としての懸賞の提供者が伝えたいメッセージを効率よくユーザに伝えることができる。
【００８５】
＜第２の実施形態＞
［複数のユーザそれぞれに提示する懸賞用問題を異ならせる］
続いて、第２の実施形態について説明する。第１の実施形態では、懸賞管理装置１は、懸賞用問題記憶部１１５に記憶されている情報に基づいて複数のユーザそれぞれに対して同一のクロスワードパズルを送信していた。しかしながら、複数のユーザそれぞれに対して同一のクロスワードパズルを送信して回答を受け付けると、複数のユーザが協力し合うことで回答を入力する可能性がある。そうすると、専用問題によって、懸賞の提供者がユーザに伝えたいメッセージが当該ユーザに十分に伝わらないおそれがある。そこで、第２の実施形態に係る懸賞管理装置１は、複数のユーザのそれぞれに提示する懸賞用問題を異ならせる。以下、第２の実施形態に係る懸賞管理装置１の詳細について説明するが、第１の実施形態と同じ構成については適宜説明を省略する。
【００８６】
まず、第２の実施形態の懸賞用問題記憶部１１５に記憶される情報は、第１の実施形態の懸賞用問題記憶部１１５に記憶される情報と異なる。図１３は、第２の実施形態に係る懸賞用問題記憶部１１５に記憶されている情報の一例である。図１３に示すように、第２の実施形態の懸賞用問題記憶部１１５は、懸賞ＩＤと、ユーザＩＤと、問題番号と、問題ＩＤと、入力位置と、文字数と、正答とを関連付けて記憶する。
【００８７】
作成部１２２は、企業の選択が行われたことに応じて１以上の専用問題及び１以上の共通問題をランダムに選択して、クロスワードパズルを作成する。ここで、作成部１２２は、ユーザ端末３において企業の選択が行われた際に、ユーザＩＤを受け付ける。また、作成部１２２は、懸賞情報記憶部１１２を参照し、選択された企業の企業ＩＤに対応する懸賞ＩＤを特定する。作成部１２２は、懸賞ＩＤと、ユーザＩＤと、クロスワードパズルに関する情報としての問題番号、問題ＩＤ、入力位置、文字数及び正答とを関連付けて懸賞用問題記憶部１１５に記憶させる。
【００８８】
なお、作成部１２２は、企業の選択が行われたことに応じて、１以上の専用問題及び１以上の共通問題をランダムに選択して、クロスワードパズルを作成したが、これに限らない。例えば、複数の企業の提供者端末２から、クロスワードパズルに含める専用問題の指定を受け付けておき、作成部１２２は、複数の企業それぞれのクロスワードパズルについて、指定された専用問題を必ず含めることで専用問題を共通にし、共通問題のみをランダムに選択するようにしてもよい。このようにすることで、懸賞の提供者は、クロスワードパズルを解くユーザに対して共通のメッセージを伝えることができる。
【００８９】
また、作成部１２２は、同一のユーザが同一の企業の懸賞を複数回選択した場合には、当該ユーザに対応して、異なる専用問題を含むクロスワードパズルを作成してもよい。例えば、作成部１２２は、懸賞用問題記憶部１１５の懸賞ＩＤ及び懸賞情報記憶部１１２を参照し、同一のユーザが同一の企業の懸賞を複数回選択したか否かを判定する。そして、作成部１２２は、同一のユーザが同一の企業の懸賞を複数回選択したと判定すると、懸賞用問題記憶部１１５において、当該ユーザのユーザＩＤに関連付けられていない専用問題を含むクロスワードパズルを作成してもよい。このようにすることで、懸賞の提供者は、同一企業の懸賞に複数回応募したユーザに対して、複数回応募していないユーザに比べて多くのメッセージを伝えることができる。
【００９０】
特典付与部１２６は、懸賞の応募が締め切られると、懸賞に応募したユーザの中から、当該懸賞に対応する特典を付与するユーザの抽選を行い、当該懸賞に当選したユーザに当該特典を付与する。具体的には、特典付与部１２６は、まず、回答情報記憶部１１６に記憶されているユーザの回答と、懸賞用問題記憶部１１５に記憶されている正答とを照合して、クロスワードパズルに正解したユーザを特定する。この際、第２の実施形態では、一の懸賞ＩＤについて、複数のユーザそれぞれで異なるクロスワードパズルが作成されていることから、懸賞ＩＤ及びユーザＩＤをキーとして回答情報記憶部１１６に記憶されているユーザの回答と、懸賞用問題記憶部１１５に記憶されている正答とを照合する。そして、特典付与部１２６は、懸賞情報記憶部１１２を参照して抽選を行い、クロスワードパズルに正解したユーザの中から当選したユーザを抽出する。
【００９１】
［第２の実施形態における効果］
以上のとおり、第２の実施形態に係る懸賞管理装置１は、企業の選択が行われたことに応じて１以上の専用問題及び１以上の共通問題をランダムに選択して、クロスワードパズルを作成する。このようにすることで、懸賞管理装置１は、複数のユーザが協力し合うことで回答を入力することを防止し、懸賞の提供者が伝えたいメッセージを、懸賞を応募するユーザに確実に伝えることができる。
【００９２】
＜第３の実施形態＞
［ユーザがお気に入り登録した企業の中から企業の選択を受け付ける］
続いて、第３の実施形態について説明する。第１の実施形態では、ユーザ端末３は、懸賞を応募する際に、カテゴリや地域等を選択し、その後、当該カテゴリや地域等に属する企業のいずれかを選択した。これに対して第３の実施形態では、ユーザが、お気に入り登録した企業の中から懸賞を提供する企業を絞り込むことができる点で第１の実施形態と異なり、その他の点では同じである。
【００９３】
図１４は、第３の実施形態に係る懸賞管理装置１の構成を示す。図１４に示されているように懸賞管理装置１は、お気に入り情報記憶部１１９をさらに備える。お気に入り情報記憶部１１９は、ユーザ端末３のユーザのユーザＩＤと、当該ユーザがお気に入りの企業として選択した企業の企業ＩＤとを関連付けて記憶する。お気に入り情報記憶部１１９は、ユーザ端末３のユーザがお気に入りに登録した企業に係る懸賞の内容を閲覧するためのお気に入りリストを生成するために用いられる。
【００９４】
第３の実施形態に係る、登録部１２１は、ユーザ端末３から、当該ユーザ端末３のユーザに対応するユーザＩＤと、お気に入りに登録する企業の企業ＩＤとを受け付ける。登録部１２１は、受け付けたユーザＩＤと、企業ＩＤとを関連付けてお気に入り情報記憶部１１９に記憶させる。
【００９５】
選択受付部１２３は、ユーザ端末３からユーザＩＤを受信すると、お気に入り情報記憶部１１９を参照し、当該ユーザＩＤに関連付けられている企業ＩＤに対応する企業を示す情報をユーザ端末３に送信し、当該企業の中から企業の選択を受け付ける。
【００９６】
具体的には、選択受付部１２３は、懸賞を申し込むユーザが使用しているユーザ端末３から、懸賞の応募の要求を受け付ける。この要求にはユーザＩＤが含まれている。選択受付部１２３は、ユーザ端末３から懸賞の応募の要求を受信することによってユーザＩＤを受信すると、お気に入り情報記憶部１１９を参照し、当該ユーザＩＤに関連付けられている企業ＩＤを特定する。また、選択受付部１２３は、懸賞情報記憶部１１２を参照し、特定した企業ＩＤに関連付けられている懸賞の特典を特定し、当該企業ＩＤに対応する企業名と、懸賞の特典の内容を示す情報とが含まれるお気に入りリストを生成し、ユーザ端末３に送信する。これにより、ユーザ端末３のユーザは、お気に入りリストを参照してユーザが予め選択した企業に対応する懸賞の内容を確認しながら、懸賞を選択することができる。
【００９７】
［第３の実施形態における効果］
以上のとおり、第３の実施形態に係る懸賞管理装置１は、お気に入り情報記憶部１１９を参照し、当該ユーザＩＤに関連付けられている企業ＩＤに対応する企業を示す情報をユーザ端末３に送信し、当該企業の中から企業の選択を受け付ける。このようにすることで、ユーザ端末３のユーザは、自身がお気に入りとしている企業の中から、懸賞を申し込む企業を容易に選択することができる。
【００９８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００９９】
上述の実施形態では、専用問題を記憶する専用問題記憶部１１３と、共通問題を記憶する共通問題記憶部１１４とを設けることとしたが、これに限らず、一の記憶部に、専用問題と共通問題とを記憶するとともに、当該記憶部に記憶されている問題が、専用問題であるか、共通問題であるかを示す問題種別を関連付けて記憶させてもよい。
【０１００】
また、上述の実施形態では、記憶部１１に専用問題記憶部１１３及び共通問題記憶部１１４が設けられることとしたが、これに限らない。例えば、懸賞管理装置１と通信可能に接続された外部装置に専用問題記憶部１１３及び共通問題記憶部１１４の少なくともいずれかが設けられるようにしてもよい。この場合、懸賞管理装置１は、当該外部装置にアクセスし、専用問題及び共通問題の少なくともいずれかを当該外部装置に記憶させたり、クロスワードパズルの作成時に、専用問題及び共通問題の少なくともいずれかを当該外部装置から抽出したりしてもよい。
【０１０１】
なお、上述の実施形態では、懸賞管理装置１が提供する懸賞サービスの運営者と、懸賞を提供する提供者とが異なるものとして説明したが、これに限らない。例えば、懸賞サービスの運営者と、提供者とが同一であってもよく、懸賞サービスの運営者が、自身で懸賞を提供してもよい。
【符号の説明】
【０１０２】
１・・・懸賞管理装置、１１・・・記憶部、１１１・・・企業情報記憶部、１１２・・・懸賞情報記憶部、１１３・・・専用問題記憶部、１１４・・・共通問題記憶部、１１５・・・懸賞用問題記憶部、１１６・・・回答情報記憶部、１１７・・・ユーザ情報記憶部、１１８・・・評価情報記憶部、１１９・・・お気に入り情報記憶部、１２・・・制御部、１２１・・・登録部、１２２・・・作成部、１２３・・・選択受付部、１２４・・・送信部、１２５・・・回答受付部、１２６・・・特典付与部、１２７・・・通知部、１２８・・・評価受付部、１２９・・・評価通知部、２・・・提供者端末、３・・・ユーザ端末、Ｓ・・・懸賞管理システム
【図１】
0005926431.tif 000002
【図２】
0005926431.tif 000003
【図３】
0005926431.tif 000004
【図４】
0005926431.tif 000005
【図５】
0005926431.tif 000006
【図６】
0005926431.tif 000007
【図７】
0005926431.tif 000008
【図８】
0005926431.tif 000009
【図９】
0005926431.tif 000010
【図１０】
0005926431.tif 000011
【図１１】
0005926431.tif 000012
【図１２】
0005926431.tif 000013
【図１３】
0005926431.tif 000014
【図１４】
0005926431.tif 000015